(57)【要約】【課題】ポリマーの滞留を抑制することができるポリマーフィルタを提供する。【解決手段】軸方向一端部に開口部１１ａを他端部に開口部１１ｂを有する筒状の支持体１１と、支持体１１の軸方向一端部側の開口部１１ａを塞ぐキャップ１２と、支持体１１の外周に配置される筒状のフィルタ部材１３とを備える。支持体１１がその外周部と内周部との間を貫通するポリマーの流路１５を有し、フィルタ部材１３が周方向に沿って多数のプリーツ部１３ａを有し、支持体１１の流路１５を覆う状態であり、支持体１１が螺旋状の線材１６から形成され、流路１５が線材１６の線間隙間１６ａにより形成されている。【選択図】図２
2020163727.tif 000002
【特許請求の範囲】
【請求項１】
軸方向両端部に開口部（１１ａ、１１ｂ）を有する筒状の支持体（１１）と、前記支持体（１１）の軸方向一端部の開口部（１１ａ）を塞ぐキャップ（１２）と、前記支持体（１１）の外周部側に配置される筒状のフィルタ部材（１３）とを備え、
前記支持体（１１）がその外周部と内周部との間を貫通するポリマーの流路（１５）を有し、前記フィルタ部材（１３）が前記支持体（１１）の流路（１５）を覆う状態であるポリマーフィルタにおいて、
前記支持体（１１）が螺旋状の線材（１６）から形成され、前記流路（１５）が前記線材（１６）の線間隙間（１６ａ）により形成されていることを特徴とするポリマーフィルタ。
【請求項２】
前記支持体（１１）の軸方向中間部分の線間隙間（１６ａ）が、軸方向両端側部分の線間隙間（１６ａ）よりも大きく形成されていることを特徴とする請求項１に記載のポリマーフィルタ。
【請求項３】
前記線材（１６）が前記支持体（１１）の外周部側に形成される支持面（１６ｂ）を有し、前記支持面（１６ｂ）が前記フィルタ部材（１３）の内周部を受けていることを特徴とする請求項１または２に記載のポリマーフィルタ。
【請求項４】
前記線材（１６）が、前記支持体（１１）の軸方向両側のそれぞれに外周側側面（１６ｃ）を有し、それぞれの前記外周側側面（１６ｃ）が前記支持体（１１）の外周部側から内周部側に向かって軸方向外向きに形成されていることを特徴とする請求項１から３のいずれか１項に記載のポリマーフィルタ。
【請求項５】
前記線材（１６）が、前記支持体（１１）の軸方向両側のそれぞれに内周側側面（１６ｄ）を有し、それぞれの前記内周側側面（１６ｄ）が前記支持体（１１）の外周部側から内周部側に向かって軸方向内向きに形成されていることを特徴とする請求項１から４のいずれか１項に記載のポリマーフィルタ。
【発明の詳細な説明】
【技術分野】
【０００１】
この発明は、溶融状態のポリマー中に混在する異物を分離除去するポリマーフィルタに関する。
【背景技術】
【０００２】
プラスチック成型製品の原材料としてのポリマーを生産する際や、ポリマーを溶融して押し出し成型する際に、異物の除去を目的としてポリマーをろ過するろ過装置が用いられている。このろ過装置３０は、例えば、図６に示すように、溶融状態のポリマーＰの流入口３１ａと流出口３１ｂとを有する筒状のフィルタケース３１と、フィルタケース３１の内部に固定され、溶融状態のポリマーＰの異物を分離除去するポリマーフィルタ３２とを備えている。
【０００３】
ポリマーフィルタ３２は、図７（ａ）に示すように、溶融状態のポリマーＰをろ過する筒状のフィルタエレメント３３と、フィルタエレメント３３を支持する筒状の支持体３４と、支持体３４のポリマーＰの上流側に取り付けられるキャップ３５と、ポリマーＰの下流側に取り付けられる筒状のホルダ３６とを備えている。
【０００４】
フィルタエレメント３３は、図７（ｂ）に示すように、周方向に沿って多数形成された径方向のプリーツ部３３ａを有する筒状に形成されている。支持体３４は、複数の貫通孔３４ａを有し、フィルタエレメント３３の内部に配置されている。
【０００５】
支持体３４がホルダ３６を介してフィルタケース３１に固定され、支持体３４の内部が流出口３１ｂに接続される。キャップ３５は、支持体３４から突出する円すい状のガイド部３５ａを有し、ガイド部３５ａにより流入口３１ａから流入されるポリマーＰをフィルタエレメント３３の外周部側へ誘導している（図６中の矢印参照）。
【０００６】
図６に示すろ過装置３０では、フィルタケース３１の流入口３１ａから流入した溶融状態のポリマーＰが、フィルタエレメント３３により異物が分離除去され、支持体３４のそれぞれの貫通孔３４ａを通り支持体３４内に流入する。
【０００７】
支持体３４内に流入したポリマーＰは、支持体３４の内部を通りフィルタケース３１の流出口３１ｂから射出成型機や、Ｔダイなどの次工程での装置へ移動する。
【０００８】
また、上述のろ過装置に用いられるポリマーフィルタとして、例えば、特許文献１に記載されたものが従来から知られている。
【０００９】
特許文献１に記載されたポリマーフィルタは、ポリマー流入口を備えた支柱部材と、この支柱部材のポリマーの上流側に接合されたキャップと、前記支柱部材および前記キャップに接合されたフィルタエレメントとを備え、ポリマー流入口である円形の貫通孔が支柱部材の全周に多数設けられたものである。
【先行技術文献】
【特許文献】
【００１０】
【特許文献１】特開２００９−１９６２３３号公報
【発明の概要】
【発明が解決しようとする課題】
【００１１】
図６に示すポリマーフィルタ３２は、フィルタエレメント３３でろ過されたポリマーＰが、支持体３４の外側から複数の貫通孔３４ａへ集中し、支持体３４の外側でポリマーＰの滞留が発生するという問題があった。
【００１２】
同様に、特許文献１に記載のポリマーフィルタも、ポリマーが支柱部材の外側から複数の貫通孔へ集中し、支柱部材の外側でポリマーの滞留が発生するという問題があった。
【００１３】
そこで、この発明の課題は、ポリマーの滞留を抑制することができるポリマーフィルタを提供することにある。
【課題を解決するための手段】
【００１４】
上記の課題を解決するため、この発明に係るポリマーフィルタにおいては、軸方向両端部に開口部を有する筒状の支持体と、前記支持体の軸方向一端部側の開口部を塞ぐキャップと、前記支持体の外周部側に配置される筒状のフィルタ部材とを備え、前記支持体がその外周部と内周部との間を貫通するポリマーの流路を有し、前記フィルタ部材が前記支持体の流路を覆う状態であるポリマーフィルタにおいて、前記支持体が螺旋状の線材から形成され、前記流路が前記線材の線間隙間により形成されている構成を採用することができる。
【００１５】
ここで、「軸方向」とは、特に言及しない限り、支持体の筒軸に沿った方向のことをいう。「周方向」とは、特に言及しない限り、支持体の筒軸周りの円周方向のことをいう。
【００１６】
この構成によると、支持体の流路が螺旋状に開口する線間隙間から形成されるので、フィルタ部材によりろ過されたポリマーを、周方向の任意の位置で支持体の外周部から流路を通して支持体内へ流入させることができる。
【００１７】
前記支持体の軸方向中間部分の線間隙間が軸方向両端側部分の線間隙間よりも大きく形成されている構成を採用することができる。
【００１８】
この構成により、支持体の軸方向中間部分は軸方向両端側部分よりも流路を通るポリマーの流量を大きくすることができる。
【００１９】
前記線材が前記支持体の外周部側に形成される支持面を有し、前記支持面が前記フィルタ部材の内周部を受けている構成を採用することができる。
【００２０】
前記線材が、前記支持体の軸方向両側のそれぞれに形成される外周側側面を有し、それぞれの前記外周側側面が前記支持体の外周部側から内周部側に向かって軸方向外向きに形成されている構成を採用することができる。
【００２１】
この構成によると、支持体の外周部側において、流路が支持体の外周部側から内周部側へ向かって小さくなり、流路を通るポリマーのせん断速度を向上させることができる。
【００２２】
前記線材が、前記支持体の軸方向両側のそれぞれに形成される内周側側面を有し、それぞれの前記内周側側面が前記支持体の外周部側から内周部側に向かって軸方向内向きに形成されている構成を採用することができる。
【００２３】
この構成によると、支持体の内周部側において、流路が支持体の外周部側から内周部側へ向かって大きくなる。このため、流路を通過しているポリマーは、支持体の内周部側から支持体の内部へ円滑に流動する。
【発明の効果】
【００２４】
この発明に係るポリマーフィルタは、周方向の任意の位置で支持体の外周部から流路を通して支持体内へ流入させることができるので、ポリマーの流路への集中が生じ難くなり、ポリマーの滞留を抑制することができる。
【００２５】
また、支持体は流路が螺旋状に開口する線間隙間から形成されるので、フィルタ部材と支持体の接触面積が従来のポリマーフィルタよりも小さくなり、フィルタ部材の有効ろ過面積を増加させることができる。
【図面の簡単な説明】
【００２６】
【図１】この発明の第１実施形態に係るポリマーフィルタを用いたろ過装置を示す断面図
【図２】同上のポリマーフィルタを示す一部切り欠き断面図
【図３】（ａ）同上のポリマーフィルタの一部切り欠き平面図、（ｂ）図３（ａ）のＢ−Ｂ線に沿った断面図
【図４】（ａ）同上の線材の他の形態１を示す断面図、（ｂ）同上の線材の他の形態２を示す断面図、（ｃ）同上の線材の他の形態３を示す断面図、（ｄ）同上の線材の他の形態４を示す断面図、（ｅ）同上の線材の他の形態５を示す断面図、（ｆ）同上の線材の他の形態６を示す断面図、（ｇ）同上の線材の他の形態７を示す断面図、（ｈ）同上の線材の他の形態８を示す断面図、（ｉ）同上の線材の他の形態９を示す断面図
【図５】この発明の第２実施形態に係るポリマーフィルタを示す断面図
【図６】従来のポリマーフィルタを用いたろ過装置を示す断面図
【図７】（ａ）従来のポリマーフィルタを用いたろ過装置を示す一部切り欠き平面図、（ｂ）図７（ａ）のＣ−Ｃ線に沿った断面図
【発明を実施するための形態】
【００２７】
以下、この発明の実施の形態を図面に基づいて説明する。この発明に係るポリマーフィルタ１０を用いたろ過装置Ａを図１に示す。
【００２８】
ろ過装置Ａは、筒状のフィルタケース１と、フィルタケース１の内部に固定され、溶融状態のポリマーＰの異物を分離除去するポリマーフィルタ１０とを備えている。
【００２９】
フィルタケース１は、筒状のケース本体２と、ケース本体２の軸方向他端側に固定される環状のベース体３とからなる。ケース本体２は、軸方向一端部に形成されるポリマーＰの流入口２ａを有している。
【００３０】
流入口２ａは、内面が円筒面であって、ケース本体２の内周部２ｂに接続部２ｃを介して連通している。流入口２ａの軸方向一端部には嵌合凹部２ｄが形成されている。嵌合凹部２ｄにポリマーＰを流入口２ａに導く配管等（図示省略）が嵌め合わされる。
【００３１】
内周部２ｂの内面は、流入口２ａの内面よりも大きい内径寸法を有する円筒面である。内周部２ｂはケース本体２の軸方向他端部に達している。接続部２ｃは軸方向一端側へ向かって内径寸法が小さくなる円すい面状の内面を有する。
【００３２】
ケース本体２は、軸方向他端部にベース体３が嵌り合う円形の嵌合凹部２ｅと、軸方向に形成される複数のめねじ２ｆとを有する。嵌合凹部２ｅは、ケース本体２の内周部２ｂの周りに形成される。それぞれのめねじ２ｆは、ケース本体２の内周部２ｂの周りに間隔をおいて配置されている。
【００３３】
ベース体３は内周部３ａを有する円環状部材である。ベース体３の軸方向一端側端面に環状部３ｂおよびめねじ３ｃが形成される。内周部３ａの内面は円筒面である。環状部３ｂは軸方向一方へ突出し、ケース本体２の嵌合凹部２ｅに嵌合可能となっている。めねじ３ｃはベース体３の内周部３ａと同軸上に形成されている。
【００３４】
ベース体３の外周部にはボルト挿通孔３ｄが複数形成されている。ボルト挿通孔３ｄは、ベース体３を軸方向に貫通しており、ケース本体２のめねじ２ｆと同数（例えば、６つ）配置されている。
【００３５】
ベース体３の環状部３ｂがケース本体２の嵌合凹部２ｅに嵌合する状態で、めねじ２ｆとボルト挿通孔３ｄとの周方向の位置が合致している。この状態のめねじ２ｆにボルト４がねじ結合され、ケース本体２とベース体３が一体化する。
【００３６】
図２、３に示すように、ポリマーフィルタ１０は、筒状の支持体１１と、支持体１１の軸方向一端部に固定されるキャップ１２と、支持体１１の外周部側に配置される筒状のフィルタ部材１３と、支持体１１の軸方向他端部に固定される筒状のホルダ１４とを備える。
【００３７】
支持体１１は、軸方向両端部に形成される開口部１１ａ、１１ｂと、外周部と内周部との間を貫通する流路１５とを有する円筒状部材である。支持体１１は、螺旋状の線材１６から形成されている。支持体１１の軸方向に隣接する線材１６の間には、隙間（線間隙間１６ａ）が形成される。支持体１１の流路１５は螺旋状の線間隙間１６ａにより形成される。
【００３８】
線材１６は金属製であり、図２に示すように、支持体１１の筒軸を含む平面での断面形状が矩形をなしている。螺旋状の線材１６の支持体１１の外周部側には支持面１６ｂが形成されている。支持面１６ｂは円筒面であり、フィルタ部材１３の内周部を支持する。
【００３９】
螺旋状の線材１６は軸方向に一定間隔で巻回されており、線間隙間１６ａが支持体１１の全長にわたって一定の大きさとなっている。線材１６の軸方向の幅は厚さ方向の幅よりも大きい。
【００４０】
キャップ１２は、円柱部１２ａと、円柱部１２ａの軸方向一端側に形成されるガイド部１２ｂと、円柱部１２ａの軸方向他端側に形成される嵌合部１２ｃとを有する。円柱部１２ａは、支持体１１の軸方向一端側の開口部１１ａを閉塞している。円柱部１２ａの外径寸法は、支持体１１の外径寸法と同じである。
【００４１】
ガイド部１２ｂは円すい状をなし、軸方向一方へ向かうに従ってその外径寸法が小さくなっている。嵌合部１２ｃの外周面は、支持体１１の軸方向一端部が嵌合する円筒面と、軸方向他方へ向かうに従ってその外径寸法が小さくなる円すい面とから形成される。なお、ガイド部１２ｂは円柱部１２ａ側が大径となる円すい台形であってもよい。
【００４２】
フィルタ部材１３は、図３（ａ）、（ｂ）に示すように、周方向に沿って多数形成された径方向のプリーツ部１３ａを有する筒状の部材である。フィルタ部材１３は流路１５を覆う状態となっている。
【００４３】
フィルタ部材１３は、一端部がキャップ１２の円柱部１２ａに、他端部がホルダ１４にそれぞれ溶接等により固定されている。プリーツ部１３ａの内周部は支持体１１の支持面１６ｂに接している。なお、フィルタ部材１３の固定は、既知の手段により行うことができる。
【００４４】
フィルタ部材１３は、例えば、ステンレス繊維からなる不織布やステンレス粉末を焼結したもの、あるいは、ステンレス製の金網を複数枚積層したものなどから構成される。なお、フィルタ部材１３としては、例えば、円筒状のものや、円板状のディスクフィルタ部材を軸方向に積層して筒状としたものを採用してもよい。
【００４５】
ホルダ１４は、内周部１４ａを有する金属製の筒状部材である。ホルダ１４は軸方向一端側に形成される嵌合凹部１４ｂと、軸方向他端側の外周部に形成される、おねじ１４ｃとを有する。
【００４６】
内周部１４ａは内面が円筒面であり、ベース体３の内周部３ａと同じ内径寸法を有している。嵌合凹部１４ｂには支持体１１の軸方向他端部が嵌合し、おねじ１４ｃがベース体３のめねじ３ｃにねじ結合する。このねじ結合により、ポリマーフィルタ１０がベース体３に固定され、支持体１１の内部とベース体３の内周部３ａの内部が接続される。
【００４７】
以上のように、ポリマーフィルタ１０を備えたろ過装置Ａが構成される。ろ過装置Ａでは、フィルタケース１およびフィルタケース１の流入口２ａに接続されるポリマーＰの配管等（図示省略）は、ヒータ（図示省略）により加熱されている。
【００４８】
図１に示すように、所定温度の溶融状態のポリマーＰが、圧送されフィルタケース１の流入口２ａへ流入される。
【００４９】
ポリマーＰは、キャップ１２のガイド部１２ｂよりポリマーフィルタ１０の外周部側へ導かれる。さらに連続的に圧送され、フィルタケース１の内周部に充填されたポリマーＰは、フィルタ部材１３によりろ過され、支持体１１の外周部に流入する。
【００５０】
ここで、支持体１１の流路１５は螺旋状に開口する線間隙間１６ａにより形成されている。ポリマーＰは、支持体１１の周方向の任意の位置で支持体１１の外周部から流路１５を通り、支持体１１内へ流入する。
【００５１】
支持体１１内へ流入したポリマーＰは、支持体１１の他端側の開口部１１ｂから、ホルダ１４の内周部１４ａ内を通り、ベース体３の内周部３ａから流出する。
【００５２】
この実施形態のポリマーフィルタ１０は、フィルタ部材１３でろ過されたポリマーＰが支持体１１の外周部側において、周方向の任意の位置で、螺旋状に開口する流路１５から支持体１１内に流入する。このため、ポリマーＰの流路１５への集中が生じ難くなり、ポリマーＰの滞留を抑制することができる。
【００５３】
ポリマーＰの滞留が抑制されると、フィルタケース１内でのポリマーＰの流動時間が短縮され、ポリマーＰの劣化を抑制することができる。また、ポリマーフィルタ１０全体での圧力損失が抑制され、ろ過効率が向上する。
【００５４】
また、支持体１１は、フィルタ部材１３の内周部との接触面積を小さくすることができる。その結果、フィルタ部材１３の有効ろ過面積が増大し、フィルタ部材１３のライフ（寿命）を延長することができる。
【００５５】
通常、フィルタ部材１３の内外に存在するポリマーに負荷される圧力差により、フィルタ部材１３に対して支持体１１へ向かう方向に力が作用する。この力を支持体１１の支持面１６ｂで受けることができるので、フィルタ部材１３の変形を抑制することができる。
【００５６】
なお、支持体１１の線材１６は支持面１６ｂを有していれば、図４（ａ）、（ｂ）に示すように、断面形状が長方形であって、軸方向の幅よりも厚さ方向の幅が大きいものや、断面形状が正方形であるものを採用することができる。
【００５７】
また、線材１６は、断面形状が矩形または三角形であって、断面形状での１つの頂点が支持体１１の外周部側に位置しているもの（図４（ｃ）、（ｄ）参照）や、断面形状が、支持体１１の外周部側に位置する三角形部と支持体１１の内周部側に位置する半円部とからなる、いわゆる涙形のもの（図４（ｅ）参照）を採用することができる。
【００５８】
図４（ｃ）に示す断面形状が矩形の線材１６には、支持体１１の軸方向一方側に外周側側面１６ｃと内周側側面１６ｄとが形成され、支持体１１の軸方向他方側にも外周側側面１６ｃと内周側側面１６ｄとが形成されている。
【００５９】
軸方向両側のそれぞれの外周側側面１６ｃ、１６ｃは、支持体１１の外周部側に位置し、支持体１１の外周部側から内周部側へ向かって軸方向外向きに形成されている。軸方向両側のそれぞれの内周側側面１６ｄ、１６ｄは、支持体１１の内周部側に位置し、支持体１１の外周部側から内周部側へ向かって軸方向内向きに形成されている。
【００６０】
この場合、軸方向に隣り合う線材１６の間には、軸方向に向かい合うそれぞれの外周側側面１６ｃおよび内周側側面１６ｄにより線間隙間１６ａが形成され、その線間隙間１６ａが流路１５となる。
【００６１】
ここで、流路１５の支持体１１の外周部側は、支持体１１の外周部側から内周部側に向かって小さくなるように形成されるので、流路１５を通るポリマーのせん断速度を向上させることができる。
【００６２】
流路１５の支持体１１の内周部側は、支持体１１の外周部側から内周部側に向かって大きくなるように形成されるので、ポリマーＰが支持体１１の内周部側から支持体１１の内部へ円滑に流動する。
【００６３】
図４（ｄ）に示す断面形状が三角形となる線材１６、および図４（ｅ）に示す断面形状が涙形となる線材１６にも、軸方向両側のそれぞれに形成される上記外周側側面１６ｃ、１６ｃが形成される。
【００６４】
また、線材１６は、図４（ｆ）に示すように、断面形状が正六角形であって、断面形状での一つの辺が支持体１１の外周部側に位置しているものを採用することができる。この線材１６は、支持面１６ｂ、並びに軸方向両側のそれぞれに形成される上記外周側側面１６ｃ、１６ｃおよび上記内周側側面１６ｄ、１６ｄを有している。
【００６５】
また、図４（ｇ）に示すように、線材１６は、断面形状が支持体１１の外周部側に位置する矩形部分と、その矩形部分から支持体１１の内周部側へ向かって上記内周側側面１６ｄ、１６ｄが互いに接近するように形成される先鋭部分とからなるものを採用することができる。この線材１６は、支持面１６ｂ、および軸方向両側のそれぞれに形成される上記内周側側面１６ｄ、１６ｄを有している。
【００６６】
また、図４（ｈ）に示すように、線材１６は、断面形状が逆三角形であって、断面形状での一つの辺が支持体１１の外周部側に位置しているものを採用することができる。この場合、支持面１６ｂ、および軸方向両側のそれぞれに形成される上記内周側側面１６ｄ、１６ｄが形成される。
【００６７】
さらに、図４（ｉ）に示すように、線材１６は、断面形状が円形のものでもよい。この場合、支持体１１の外周部側では、流路１５が支持体１１の外周部側から内周部側へ向かって小さくなる。支持体１１の内周部側では、流路１５が支持体１１の外周部側から内周部側へ向かって大きくなる。
【００６８】
次に、この発明の第２実施形態に係るポリマーフィルタ１０を図５に基づいて説明する。この実施形態のポリマーフィルタ１０においては、支持体１１の軸方向中間部分の線間隙間１６ａが、軸方向両端側部分の線間隙間１６ａよりも大きく形成されている点で、上述の第１実施形態と相違する。その他の構成において、第１実施形態と同じ構成を考えられるものは、同じ符号を付してその説明を省略する。
【００６９】
ここで、ろ過装置３０では、流入口２ａからフィルタケース１内に圧送されるポリマーＰの流量（単位面積・単位時間当たりの流量）は、ポリマーフィルタ１０の上流側部分および下流側部分が中流側部分よりも大きくなることがある。この場合、フィルタ部材１３の軸方向両側部分を通過するポリマーＰの流量がフィルタ部材１３の軸方向中間部分を通過するポリマーＰの流量よりも大きくなることがある。
【００７０】
第２実施形態のポリマーフィルタ１０では、支持体１１の軸方向中間部分の線間隙間１６ａ（Ｗ２）を、軸方向両端側部分の線間隙間１６ａ（Ｗ１）よりも大きく形成している。このため、フィルタ部材１３の軸方向中間部分を通過するポリマーＰの流量を増加することができる。
【００７１】
これにより、フィルタ部材１３の軸方向全域でポリマーの単位面積当たりの流量の均一化を図ることが可能となり、フィルタ部材１３のライフ（寿命）を延長することができる。
【符号の説明】
【００７２】
１  フィルタケース
２  ケース本体
２ａ  流入口
２ｂ  内周部
３  ベース体
３ａ  内周部
１０  ポリマーフィルタ
１１  支持体
１１ａ、１１ｂ  開口部
１２  キャップ
１３  フィルタ部材
１３ａ  プリーツ部
１４  ホルダ
１４ａ  内周部
１５  流路
１６  線材
１６ａ  線間隙間
１６ｂ  支持面
１６ｃ  外周側側面
１６ｄ  内周側側面
３０  ろ過装置
３１  フィルタケース
３１ａ  流入口
３１ｂ  流出口
３２  ポリマーフィルタ
３３  フィルタエレメント
３４  支持体
３４ａ  貫通孔
３５  キャップ
３６  ホルダ
Ａ  ろ過装置
Ｐ  ポリマー
【図１】
2020163727.tif 000003
【図２】
2020163727.tif 000004
【図３】
2020163727.tif 000005
【図４】
2020163727.tif 000006
【図５】
2020163727.tif 000007
【図６】
2020163727.tif 000008
【図７】
2020163727.tif 000009